Podtech/llm-jp-corpus-v4-ja_patent huggingface dataset:
(57)【要約】【課題】カゴメノリ、ホソカゴメノリから抽出したフコキサンチン皮膚炎治療液ＲＤＦを大量に衛生的に提供する事を課題としている。【解決手段】カゴメノリ、ホソカゴメノリを炭酸水素ナトリウムで抽出し、２つの海藻を混合する事でＲＤＦ液を大量生産し、品質保持のためアルコールとグリセリンで衛生的に提供することを特徴とする。【特許請求の範囲】
【請求項１】
カゴメノリ、ホソカゴメノリからフコキサンチン抽出を目的とした抽出物。
【請求項２】
カゴメノリ、ホソカゴメノリから抽出した皮膚炎治療、病気予防を目的とした抽出物。
【発明の詳細な説明】
【技術分野】
【０００１】本発明は、フコキサンチン皮膚炎治療液として使用され、抗炎症、保湿の２つの効果を１つにまとめたフコキサンチン皮膚炎治療液ＲＤＦに関する。
【背景技術】
【０００２】従来、抗炎症（カラミン）保湿（ワセリン）と独立してその効果があったが海藻から高濃度のフコキサンチンを使用した抗炎症、保湿の効果をまとめた発明はされなかった。
【先行技術文献】
【特許文献１】特開平９−２９１０２２号公報
【発明が解決しようとする課題】
【０００３】カゴメノリ、ホソカゴメノリから抽出したフコキサンチン皮膚炎治療液ＲＤＦを大量に衛生的に提供する事を課題としている。
【０００４】〈皮膚炎治療液ＲＤＦは、人類の病気予防になるか？〉
海藻カゴメノリ、ホソカゴメノリから高濃度に抽出したフコキサンチンには、抗老化、抗ガン作用、抗糖尿病、美肌効果がある。しかしモズク、ヒジキからフコキサンチンを抽出すると低濃度でしか抽出できず効果を充分発揮できない。カゴメノリ、ホソカゴメノリから高濃度でフコキサンチンを抽出できるので大量生産し世界中の人に供給できれば病気予防になり、治療医療から予防医療にシフトし、医療費が削減できる。
【０００５】〈皮膚炎治療液ＲＤＦは農業、建築業の助けになるか？〉
炎天下の屋外で長時間農業や建築業をする人にとって直射日光は、皮膚炎のストレスだけでなく乾燥によるシワの悩みもある。しかし高価な日焼け止めや化粧水は使わず安価なワセリンに頼るのである。カラミンの様に日焼けのヒリヒリを抑え、ワセリンの様に保湿でき大量に供給できれば皮膚炎で困る人達の助けになる。
【０００６】〈皮膚炎治療液ＲＤＦは産業の発展になるか？〉
カゴメノリ、ホソカゴメノリは浅い場所で群生する海藻で干潮時、浜辺に大量に打ち上げられる。農家の人が畑の肥料になると持ち帰るのだが本当の利用法は知らないようだ。カゴメノリ、ホソカゴメノリ１キロからＲＤＦ液が５ｌとれる。
５００ｍｌペットボトルに入れ千円で販売するとＲＤＦの価値は１万円である。
農家の人は袋に５０キロ持ち帰った。農家の人が５０万円の海藻を畑にまいたと知ったらどう思うのだろうか？皮膚炎治療液ＲＤＦはアーサ、モズクに並ぶ沖縄の産業発展に欠かせない海藻になる。
【０００７】〈皮膚炎治療液ＲＤＦに進歩性があるか？〉
進歩性とは予測性がなく思いがけない効果が生ずるものであるから「まさか肥料の海藻が１キロ１万円もする高価な海藻であるはずがない！」と予測できないであろう。カゴメノリは保湿性の粘りある赤い液、ホソカゴメノリは抗炎症の濃い赤い液がとれ、２つの海藻を混合するとシナジー効果が期待できる。２つの海藻が千トンを超えれば沖縄の一大産業となり、モズクのように養殖され２万トン生産できれば世界中の皮膚炎で困る人達の助けになる。
【課題を解決するための手段】
【０００８】カゴメノリ、ホソカゴメノリから皮膚炎治療液ＲＤＦを大量に衛生的に提供する手段をあげる。大量に提供するためにカゴメノリとホソカゴメノリの両方を使う。海藻には、石、砂、塩分の不純物が付着しているので回転式の除去装置で水を入れかえながら１０分間３セットに分けて回転させる。海藻１０キロに対し５０ｌの精製水には、１５０ｇの炭酸水素ナトリウムを添加する。７０℃〜７５℃の低温で６０分間煮出す。
海藻はアクが出るのでしっかりアク取りをする。
【０００９】衛生的に提供するために海藻と液に分ける。注意点は、海藻をしぼってはいけない。不純物が混ざり品質が劣化するのだ。ＲＤＦ液をろ紙を通してろ過する。
あら熱を取るため氷水の容器に常温になるまでつけておく。再度ろ紙を通してろ過する。不純物のない赤い色になれば上出来だ。酸化防止のため冷凍庫に２４時間凍らせる。その後自然解凍しアルコール１０％とグリセリン１０％を添加し均一に混ぜることで衛生的なフコキサンチン皮膚炎治療液ＲＤＦが完成する。
【発明の効果】
【００１０】〈フコキサンチンが皮膚の炎症、シワを改善する〉
高濃度に抽出したフコキサンチンには、日焼けの炎症による痛みを抑える作用が強力で使い続けると乾燥によるシワが目立たなくなる美肌効果がある。
【００１１】〈フコキサンチンが老化を予防する〉
ストレス、紫外線、喫煙が活性酸素を増加させる原因だがフコキサンチンには、抗酸化力があり体内に発生した活性酸素を抑える働きがある。活性酸素を高濃度フコキサンチンで抑える事で動脈硬化、脳卒中、心筋梗塞の予防になり老化を予防する効果がある。
【００１２】〈フコキサンチンがガンを予防する〉
フコキサンチンには、腫瘍細胞へのアポトーシス誘導（ＤＮＡ断片化）ガンの増殖や血管新生を抑制しガンの成長を抑える効果がある。
【００１３】〈フコキサンチンが糖尿病を予防する〉
フコキサンチンには、糖の代謝を促進し、血糖値を下げ白色脂肪を減少させる事によりメタボリックシンドロームを予防でき糖尿病を改善する効果がある。
【発明の実施例】
【００１４】皮膚炎治療液ＲＤＦを使用した感想をまとめる。
金城（発明者）３０代男性  症状（目の横のシワが気になる）
Ａさん        ２０代男性  症状（重度の日焼けが痛くてガマンできない）
Ｂさん        家族で      症状（子供が日焼けで赤くなる）
【００１５】金城の感想（３０歳で目の横と額のシワが気になり、お風呂の後にＲＤＦを使い続けたらシワが目立たなくなった。３ヵ月後には、肌全体がモチモチになり若返ったのでＲＤＦの効果は、高濃度のフコキサンチンによるものだと確信した。）
【００１６】Ａさんの感想（炎天下のビーチでうつ伏せになり日焼けをしたＡさんは、眠ってしまい背中に水ぶくれが出来た。氷で冷やしたり、アロエのクリームを塗ったが痛くてガマンできず苦しそうにしていた。これは大変だと思いＲＤＦ液と氷を混ぜて水ぶくれした背中にたっぷりと塗ったらＡさんは痛みが引いて元気になり驚いていた。Ａさんから助けてくれてありがとうと言われ発明したＲＤＦが人の役に立ててすごく嬉しかった。）
【００１７】Ｂさんの感想（海水浴に来ていたＢさんは、日焼けをした子供達にメントールのローションを塗っていた。色白の子供達は日焼けで赤くなっていた。
ＲＤＦには、アルコールが入っているので水で薄めて塗ったら赤みが引いて子供達はとても驚いていた。家族みんなで使って喜んでもらえた。Ｂさんはビーチの売店にＲＤＦを置いたらみんな助かると言っていた。）
〈フコキサンチン皮膚炎治療液ＲＤＦの名前の由来〉
【００１８】赤色の金城剛の発明したフコキサンチン液をカタカナで
レッド、ダイヤモンド、フコキサンチンと名付けた。頭文字を取って
Ｒ      Ｄ            Ｆ            となった。
(57)【要約】【課題】両面テープを巻いた棒や柱に様々な生地（シルク・ポリエステルなど）を巻き付けたり貼ったりすることでアート的な棒や柱になる。また、貼ったり巻き付けたりする生地の組み合わせを変えることで幅広い分野で用途に合った使い方ができる。この技術を提供する。【解決手段】今までの棒や柱などには様々な生地を使ってアート的な用途に合った使い方がなかった。両面テープを使って棒や柱に様々な生地を巻いたり、貼ったりすることで幅広い分野で使われる。【選択図】図１
2017024264.tif 000002
【特許請求の範囲】
【請求項１】
様々な棒や柱に両面テープを巻き付け、その上に様々な生地（シルク・ポリエステルなど）を巻き付けたり貼ったりする。また様々な生地の組み合わせを変えたりすることで幅広い分野で使える。
【請求項２】
棒、柱の種類によっては、先に様々な物（紙、ビニールなど）を直接巻き付けた上にテープで止め、骨組みを加えて両面テープを巻き付けてから、様々な生地を巻いてアート的な棒、柱を提供する。
【発明の詳細な説明】
【技術分野】
【０００１】
この発明は様々な棒や柱などに両面テープを巻き、その上に様々な生地（シルク、ポリエステルなど）を巻いたり貼ったりするものである。
【背景技術】
【０００２】
従来、様々な棒や柱などには様々な生地などが巻かれたり、貼られたりしていなかった。
【発明の概要】
【発明が解決しようとする課題】
【０００３】
今まで様々な生地を用いたアート的な棒や柱は無かった。この発明は様々な用途に合ったアート的な棒や柱を提供する。
また、棒、柱の種類によっては傷が付きやすいため、加工で傷が付かないようにする。
【課題を解決するための手段】
【０００４】
様々な棒や柱に両面テープを巻きつけ、その上に様々な生地（シルク・ポリエステルなど）を使い巻き付けたり貼ったりすることで、アート的な棒、柱になる。また傷が付かないように様々な物（紙・ビニールなど）を、まず柱、棒に直接巻き付け、テープなどで固定する。また、骨組みを使うことで、いろいろなゆがみ、ズレを修正して両面テープを巻いて生地を巻いたり貼ったりする事ができる。生地のいろいろな組み合わせを変えることで幅広いアート的な棒や柱を提供する。
【発明の効果】
【０００５】
様々な棒や柱に、様々な生地を巻いたり貼ったりする。また生地の組み合わせを変えることで幅広い分野で用いられ、アート的な棒や柱になる。
【図面の簡単な説明】
【０００６】
【図１】本発明を実施するための斜視図である。
【図２】本発明に生地を加えた正面図である。
【図３】本発明の生地を組み合わせた正面図である。
【図４】（１）に傷が付かないように（４）を加工する側面図である。
【図５】本発明を実施するための骨組みと加工された（１）の斜視図である。
【図６】本発明を実施するために骨組みと加工された(1)の組み合わせの側面図である。
【図７】本発明の生地を巻く前の組み合わせを表す斜視図である。
【発明を実施するための形態】
【０００７】
以下、本発明を実施するための形態について説明する。
イ・様々な棒や柱（１）に両面テープ（２）を巻きつける。その上に様々な生地（シルク・ポリエステルなど）（３）を貼ったり巻き付けたりする。
ロ・様々な棒や柱（１）に両面テープ（２）を巻き付け、その上に様々な生地（３−Ａ）・（３−B）などを組み合わせて使うことで幅広い分野で使える。
ハ・様々な棒や柱の種類によっては傷が付く場合があるので、様々な物（紙、ビニールなど）（４）を巻いてテープ（５）を貼り、様々な骨組み（針金、アルミなど）（６）を組み合わせる。そしてその上に両面テープ（２）を巻いて様々な生地（３）を貼ったり巻いたりする。
【符号の説明】
【０００８】
１  様々な棒、柱
２  両面テープ
３  様々な生地
４  様々な物（紙、ビニールなど）
５  テープ
６  様々な骨組み（針金、アルミなど）
【図１】
2017024264.tif 000003
【図２】
2017024264.tif 000004
【図３】
2017024264.tif 000005
【図４】
2017024264.tif 000006
【図５】
2017024264.tif 000007
【図６】
2017024264.tif 000008
【図７】
2017024264.tif 000009
(57)【要約】【課題】  素手で開封することが難しい軟質樹脂製の袋体において、素手で容易に開封することが可能な商品を提供する。【解決手段】  両端を熱溶着シールで密閉された袋体に、部分的な熱溶着部を設け、当該熱溶着部に切欠きを設け、当該切欠きの延長線上に断続的なスリットを設けた軟質樹脂製の袋体。【選択図】図１
2017024796.tif 000002
【特許請求の範囲】
【請求項１】
熱溶着シール等で密閉する軟質樹脂製袋体において、密閉シール以外の部分に局部的な熱溶着部を設け、当該熱溶着部に切欠きを設けた袋体。
【請求項２】
切欠きの先端延長線上に断続的にスリットを設けた請求項１の袋体。
【発明の詳細な説明】
【技術分野】
【０００１】  本発明は、軟質樹脂製の袋体において、開封を容易にする技術に関するものである。
【背景技術】
【０００２】  引き裂き強度に優れる軟質樹脂製の袋体は、素手で開封することが容易でなく、開封にはハサミやカッターなどの道具を必要としていた。
【発明の開示】
【発明が解決しようとする課題】
【０００３】  そのために、次のような問題点があった。
（イ）素手で開封することが容易でなく、ハサミやカッターなどの道具を用いて開封する      必要があった。
（ロ）素手では真っ直ぐに破って開封することが難しい。
本発明は以上の問題点を解決しようとするものである。
【課題を解決するための手段】
【０００４】  筒状にした薄膜の軟質樹脂の両端を、直線的に熱溶着等でシールした袋体において、当該シール付近に局部的な熱溶着部を設け、当該熱溶着部に切欠きを設けた袋体である。【０００５】  更に、切欠きの延長上に断続的なスリット加工を施した袋体である。
【発明の効果】
【０００６】  本発明は、素手で開封することが難しい軟質樹脂製の袋体において、局部的に熱溶着された部分を設け、当該熱溶着部分に切欠きを設けることにより、開封のきっかけとし、当該切欠きの延長線上に設けた断続的なスリットにより、素手で直線的な開封が容易になる。
【発明を実施するための最良の形態】
【０００７】  以下、本発明の実施の形態を説明する。
（イ）筒状にした薄膜の軟質樹脂でなる袋体（１）の一端を熱溶着シール（２）などの手      段で閉じる。
（ロ）熱溶着シール（２）の付近に局部的な熱溶着部（３）を設ける。熱溶着部（３）の      形状は半円形（３ａ）、三角形（３ｂ）、四角形（３ｃ）など様々であっても良い      。
（ハ）当該熱溶着部（３）に切欠き（４）を設ける。切欠き（４）の形状は、Ｖ字状（４      ａ）、Ｕ字状（４ｂ）、Ｉ字状（４ｃ）など様々であっても良い。
（ニ）切欠き（４）の先端部から直線的かつ断続的なスリット（５）を設ける。
（ホ）袋体内に内容物（６）を詰める。
（ヘ）袋体の他端を熱溶着シール（７）を施し密閉する。
本発明は、以上の構成よりなっている。
【図面の簡単な説明】
【０００８】
【図１】本発明の構成を表す図
【図２】熱溶着部３の例を表す図
【図３】切欠き４の例を表す図
【符号の説明】
【０００９】１    袋体
２    一端の熱溶着シール
３    局部的な熱溶着部
３ａ  半円形熱溶着部
３ｂ  三角形熱溶着部
３ｃ  四角形熱溶着部
４    切欠き
４ａ  Ｖ字状切欠き
４ｂ  Ｕ字状切欠き
４ｃ  Ｉ字状切欠き
５    断続的なスリット
６    内容物
７    他端の熱溶着シール
【図１】
2017024796.tif 000003
【図２】
2017024796.tif 000004
【図３】
2017024796.tif 000005
(57)【要約】      （修正有）【課題】家庭用ポンプ式シャンプー等の残り少なくなった液体をポンプの先端を広くする事で吸次性が上がり最後までイライラせずに使えるポンプ式すい込み口を提供する。【解決手段】ポンプ式のすい込み口の先端を広い円すい状とし、先端の一部に切り込みを設ける。【選択図】図１
2017024794.tif 000002
【特許請求の範囲】
【請求項１】
技術的な円すい状のパーツとそれを接続すよパーツが私の権利です
ポンプ式の先端の取り付け型の一部に切り込みを入れすき間をつくったものを用いる
【発明の詳細な説明】
【技術分野】
【０００１】この発明は従来のポンプ式すい込口のすい込みにくさをすい込みやすくするための形状に改良したポンプ式すい込み口の先端である
【背景技術】
【０００２】従来のポンプ式すい込み口の先端が細く縦の切り込みが入ったものではすい込みきれなかった部分をすい込みやすく改良したものである
【先行技術文献】
【０００３】
【特許文献１】
【発明の概要】
【発明が解決しようとする課題】
【０００４】これまでのポンプ式すい込み口の先端のでは次の様な欠点があった
（イ）先端が細い為すい込みにくい
（ロ）最後まですい込みきれない
【課題を解決するための手段】
【０００５】ポンプ式すい込み口の先端を円すい状にする事ですい込みが良くなる
本発明は以上の構造によりポンプのすい込みやすさを効果的にしたものである
【発明の効果】
【０００６】（イ）従来よりすい込みやすい
（ロ）最後まですい込める
【図面の簡単な説明】
【０００７】
【図１】本発明全形図である
【図２】本発明の側面図である
【発明を実施するための形態】
【０００８】以下本発明を実施するための形態について説明する
ポンプの先端を円すい状にし先端の片側に切り込みを入れすき間をつくる
本発明は以上の様な構造である
【符号の説明】
【０００９】１  円すい状である
２  底の片側にすき間をつくる
【技術分野】
【０００１】一般家庭のポンプ式のもの全搬に使用出来る
【背景技術】
【０００２】従来のポンプ式は先端が細く液状のもののすい込みが悪かった
【先行技術文献】
【特許文献】
【０００３】
【特許文献１】
【発明の概要】
【発明が解決しようとする課題】
【０００４】これまでは次の様な欠点があった
風呂場でシャンプー等のポンプ式のものを使用する時最後に残る液体が出にくかった
本発明は以上の様な欠点をおぎない吸い込みやすく先端を広げる事で夜を集めやすく最後まで残る夜体の吸い上げポンプとして使える
【課題を解決するための手段】
【０００５】先端を広く円すい状にする事で簡単に吸い出せる
【発明の効果】
【０００６】風呂場でシャンプー等のホンプ式のもので最後に残った液体が出にくい点を本発明により改良する事でイライラを解消出来る
【発明を実施するための形態】
【０００８】あらゆるポンプ式の先端を円すい状に広くし底面の片側に切り込みを入れすき間をつくる
【符号の説明】
【０００９】▲１▼ポンプ式の先端を円すい状にする
▲２▼円すい状の底面の片側一部に切り込みを入れすき問をつくる
【名称】
円すい状ポンプ吸い込み口
【図１】
2017024794.tif 000003
【図２】
2017024794.tif 000004
(57)【要約】【課題】自転車乗車時に運転者のスカートが風によりまくれ上がることを防ぐ道具を提供する。【解決手段】ベルト部（１）の一端に前方固定具（２）を設け、他端にスカート留め具（３）を設けたスカートまくれ上がり防止具を、前方固定具（２）を自転車前部のいずれかの部分に固定し、スカート留め具を運転者のスカートの前面に留める。【選択図】図２
2017024696.tif 000002
【特許請求の範囲】
【請求項１】
ベルト部（１）の一端に前方固定具（２）を設け、他端にスカート留め具（３）を設けたスカートまくれ上がり防止具。
【請求項２】
前方固定具（２）をスナップにより構成した請求項１に記載のスカートまくれ上がり防止具。
【請求項３】
スカート留め具（３）をピンチ（クリップ）により構成した請求項１に記載のスカートまくれ上がり防止具。
【請求項４】
前方固定具（２）を磁石あるいは磁石とそれに吸着される金属で構成した請求項１に記載のスカートまくれ上がり防止具。
【請求項５】
スカート留め具（３）を磁石あるいは磁石とそれに吸着される金属で構成した請求項１に記載のスカートまくれ上がり防止具。
【請求項６】
前方固定具（２）を自動的に巻き付く板バネにより構成した請求項１に記載のスカートまくれ上がり防止具。
【発明の詳細な説明】
【技術分野】
【０００１】  本発明は自転車の運転者がはいているスカートが風によってまくれ上がり下着が見えてしまうことを防ぐ道具に関するものである。
【背景技術】
【０００２】  自転車の運転者がはいているスカートが風でまくれ上がることを防ぐため、スカート前面中央下端におもりをつけるものや、スカート前面中央下端と後面下端を連結するものなど、あるいはスカート前面中央を押さえるもの（特許文献１）、スカートを大腿に留めるもの（特許文献２、特許文献３）などがあった。
【先行技術文献】
【特許文献】
【０００３】
【特許文献１】特開２００８−２９６８８８
【特許文献２】特開平０７−３３１５１８
【特許文献３】特開平０５−１４０８０６
【発明の概要】
【発明が解決しようとする課題】
【０００４】  従来のスカート前面中央下端におもりをつけるものやスカート前面中央下端と後面下端を連結するもの、あるいはスカート前面中央を抑えるものはいずれも自転車乗車中に風でスカート前面がまくれ上がることを防ぐことはできる。しかし、図３、図４のようにスカート前面が風により大腿をずり上がってゆき、スカート側面にたるみが生じるためスカート側面がまくれ上がり下着が見えてしまう、という欠点があった。
また、スカートを大腿に留めるものは使用時のわずらわしさや見た目の悪さが欠点であった。
本発明は以上のような欠点をなくすためになされたものである。
【課題を解決するための手段】
【０００５】  ベルト部（１）の一端に前方固定具（２）を他端にスカート留め具（３）を設ける。
本発明は以上の構成よりなるスカートまくれ上がり防止具である。
本発明を使用する際には図２のようにベルト部（１）の一端を前方固定具（２）を用いて自転車の前部のいずれかの部分に固定し、他端をスカート留め具（３）を用いてスカート前面に留める。
【発明の効果】
【０００６】  本発明を使用するとスカート前面が、自転車の前部とつながっているため、風により大腿をずり上がることがなくなる。その結果、スカート側面にたるみを生じることがなくなり、図２のようにスカート側面のまくれ上がりが小さくなり下着が見えることがなくなる。
【図面の簡単な説明】
【０００７】
【図１】本発明の斜視図である。
【図２】本発明の使用状態図である。
【図３】従来のスカート前面中央下端におもりをつける形式のスカートまくれ上がり防止具の使用状態図である。
【図４】従来のスカート前面中央下端と後面中央下端を連結する形式のスカートまくれ上がり防止具の使用状態図である。
【発明を実施するための形態】
【０００８】  以下、本発明を実施するための形態について説明する。
ベルト部（１）の一端に前方固定具（２）を設け、他端にスカート留め具を設ける。
本発明は以上のような構造である。
これを使用するときは、ベルト部（１）の一端を前方固定具（２）を用いて自転車前部のいずれかの部分に固定し、他端をスカート留め具（３）を用いてスカート前面に留める。
以上のように本発明を使用すると、自転車乗車時にスカート前面が風でまくれ上がることを防ぐのはもちろん、スカートにたるみができないのでスカート側面も大きくまくれ上がることがなくなる。
【符号の説明】
【０００９】（１）ベルト部
（２）前方固定具
（３）スカート留め具
（４）運転者
（５）スカート
（６）自転車
（７）おもり
（８）スカート前後連結具
【図１】
2017024696.tif 000003
【図２】
2017024696.tif 000004
【図３】
2017024696.tif 000005
【図４】
2017024696.tif 000006
(57)【要約】      （修正有）【課題】自動車内ドアが非電導素材で内装されている場合、降車する際、静電気ショックから人体を保護する。【解決手段】自動車内窓際下枠付近表面に、電導車体部分３２に電気的に連通する電導素材体１を設け、降車する際、ドア３を押し開く指が、それに接触しながら電荷を中和、消滅させて、静電気ショックから人体を保護する自動車としたものである。【選択図】図１
2017024694.tif 000002
【特許請求の範囲】
【請求項１】
非電導素材で内装されたドアの内側窓際下枠付近表面に電導素材体を重ね、その電導素材体を貫通するねじがドアの電導部分に固定された自動車。
【発明の詳細な説明】
【技術分野】
【０００１】    ドアの内側窓際下枠付近に付設した電導素材体に触れたまま降車することで静電気ショックから人体を保護する自動車。
【背景技術】
【０００２】    人体に不快な静電気ショックをもたらす現象は、湿度が低くて帯電した静電気に結びついて無電荷とすべき水蒸気が空気中にすくない、乾燥した気象条件下で顕著に発生する。
このような気象条件下で、自動車内ドアが合成樹脂材等、非電導素材で内装されている場合、降車する際の車体側たる座席部分と人体側衣服との摩擦により発生する高電圧の静電気は、降車、離間により人体側と車体側に正極と負極に分離されて暫らく帯電することとなり、降車してドアを外から閉めようとした人体側の指先とドア外側との間に放電現象を起こして、人体に不快な静電気ショックをもたらすことがあった。【０００３】    自動車の躯体は大部分が鉄材等の電導材質であり、強度的構造物の役割だけでなく電気的にアースの役割もさせており、モーターにより発電した直流を蓄電しているバッテリーの正負２極のうち１極は躯体、あるいは、躯体に電気的に連通する車体電導部分にアースとして取り付けられ、他極が分散配線して車体各電気装置を経由したのち、各近接の車体電導部分にアース取り付けされて通電し、不要時は配線途中の各スイッチにより遮断している。【０００４】    同様に、躯体に電気的に連通する鉄素材等のドア外部等車体電導部分は、前記人体側との摩擦による静電気の発生時において、放電現象のアース側的役割をする場合がある。
【発明の開示】
【発明が解決しようとする課題】
【０００５】    前述のとおり、人体に不快な静電気ショックをもたらすのは、降車する際の摩擦により発生した高電圧の静電気が、非電導素材の内装により人体側にも帯電し、自動車のドアを外から閉めようとした指先とドア外側との間に放電現象を起こすからである。
【課題を解決するための手段】
【０００６】    自動車ドアの窓際下枠付近の内装の合成樹脂材等の非電導素材の上に、ドアを押し開く手の当たるあたりに重ねて付設した電導素材体を貫通するねじを、下地のドアの車体電導部分に一箇所以上固定する。【０００７】    その電導素材体には、前記ねじが貫通可能な口径の貫通孔を開口する平板状または膜状または棒状の金属、カーボン等の電気的伝導体を選択する。【０００８】    ねじは、電導素材体の貫通孔を貫通し、下地のドア金属部の電導車体部分に開口する嵌合孔に嵌合緊結して電導素材体を固定し、および高電圧の静電気を通電する金属やカーボン材の耐電不朽性とする。【０００９】    あるいは逆に、前記材質のねじが、ドアの電導車体部分の裏面から嵌合孔に嵌合して上面に突き抜け、さらに内装の非電導素材や電導素材体を貫通して突き出たボルト状のその上部をナット止めしても良い。【００１０】    そうして、ドアを開くため、そのねじを通じて電導車体部分に電気的に連通してアース極化された電導素材体に手を当てながら降車、離間する。【００１１】    もし、ねじに替えて粘着材で電導素材を非電導素材に重ねて固定すれば高電圧の静電気をアース側たる車体電導部分に誘導するルートがないため帯電し、静電気ショックを起こすこととなる。【００１２】    一方、ねじが電導素材体の一箇所以上に貫通する場合、下地に車体電導部分が無い箇所においてはねじに通電劣化が起こらないので、電導素材体を非電導素材上に固定する目的のみの他の材質のねじ類に替えても良い。
また、ドアの内側窓際下枠付近に下地の車体電導部分が無い場合、電導素材体の両端あるいは一端をドアの窓際立て枠まで延伸させてから貫通孔のある端部を立ち上がらせ、ねじが貫通孔を貫通してその立て枠の電導車体部分に開口する嵌合孔に嵌合緊結するなどして電導素材体を固定するものである。
【発明の効果】
【００１３】    以上、降車する際の摩擦時に、人体が窓際下枠付近の電導素材体に接触すなわち連結していれば、人体は車体電導部分に連通してアース極側にもあることになり、電荷は中和、消滅するため、静電気ショックから人体を保護する自動車となるものである。【００１４】    なお、本件考案外、トラック等のドアにおいて鉄素材に塗装仕上げしているなど半電導的な状態に内装されていると、ドアを押し開く指先は、前述、アース極側にも連通し静電気は発生しない場合がある。
【発明を実施するための最良の形態】
【００１５】    本発明の実施の一例の形態を図１、図２、に基づいて説明する。【００１６】    非電導性の合成樹脂材２で内装されている自動車のドア３の内側窓際下枠表面にドアガラス３１に沿って、ドア３を開くために手が触れる位置を含めた充分な長さの、両端付近に耐電不朽性のステンレス製のねじ５が貫通可能な口径の貫通孔１１のある電導素材の金属板１を重ね、金属板１の貫通孔１１と比較的柔らかな合成樹脂材２を貫通してその下地のドア金属下地部分３２に開口する嵌合孔３２１に、ねじ５を嵌合して締めこんで固定すれば、ねじ５は貫通孔１１と嵌合孔３２１に接触して金属板１と電導車体部分たるドア３を電気的に連通し同極化させるのである。【００１７】    これにより、ドアを押し開く指先を金属板１に接触したまま車外に降り立てば、座席と衣服との摩擦時に、人体は車体電導部分に連通してアース極側にもあることになり、静電気は中和されて発生せず、ドア３を閉める際の静電気を解消して、人体を保護する自動車となる。
【図面の簡単な説明】
【００１８】
【図１】本考案のドア内側窓際下枠付近における概略断面図。
【図２】ねじの固定状況の概略断面図。
【符号の説明】
【００１９】    １      金属板
２      合成樹脂材
３      ドア
５      ねじ
１１    貫通孔
３１    ドアガラス
３２    ドア金属下地部分
３２１  嵌合孔
【図１】
2017024694.tif 000003
【図２】
2017024694.tif 000004
(57)【要約】【課題】従来の自動車においては夏は車内に熱が侵入しやすく、冬は車内の熱が逃げやすい構造となっていた。【解決手段】車体鉄板部を外板と内板の二重として内部を中空部として、周辺接続部を密閉構造とし、中空部を真空として、内板又は外板に内部を真空とするための抽気装置接続部を設けた。また屋根外板の上に外板覆いを設け、上下に移動出来るようにした。【選択図】図１
2017024695.tif 000002
【特許請求の範囲】
【請求項１】
自動車の車体において、
車体鉄板部を外板と内板で構成し
外板と内板の間を中空部とし、
周辺接続部を密閉構造とし、
中空部を真空とし
内板または外板に内部を真空とするための抽気装置接続部を設けた
ことを特徴とする自動車の車体。
【請求項２】
屋根外板の上に外板覆いを設け、上下に移動可能として取付けたことを特徴とする自動車の屋根
【発明の詳細な説明】
【技術分野】
【０００１】  本発明は、自動車の室内に夏は太陽熱が侵入するのを防ぎ、冬は室内の熱が外へ逃げないようにした自動車の車体及び屋根に関する
【背景技術】
【０００２】  従来は自動車に直射日光が当たると室内の温度が急激上昇した。このため駐車をする場合には日影を選んで駐車するのが常であった。【０００３】  又冬になると室内の熱が逃げやすく暖房を止めると室内はたちまち寒くなるという状態であった。これに対する対策としては車体の室内側に断熱材を張るだけのものであった。【０００４】  このように従来の自動車においては夏は室内に熱が侵入しやすく、冬は室内の熱が逃げやすい構造となっていた。
【発明の開示】
【発明が解決しようとする課題】
【０００５】  以上述べたように従来の自動車においては夏は室内に熱が侵入しやすく、冬は室内の熱が逃げやすいという問題があった。【０００６】    本発明はこのような従来の構造が有している問題を解決しようとするものであり、夏は太陽熱が侵入するのを防ぎ、冬は室内の熱が逃げないようにした自動車を提供することを目的とするものである。
【課題を解決するための手段】
【０００７】  本発明は上記目的を達成するために、車体鉄板部を外板と内板で構成し、外板と内板の間を中空部として、周辺接続部を密閉構造とし、中空部を真空として、内板または外板に内部を真空をするための抽気装置接続部を設けたものであり、第二の解決手段としては屋根外板の上に外板覆いを設け、外板覆いを上下に移動可能に取付けたものである。【０００８】  上記の課題解決手段による作用は次のとおりである。
車体の鉄板部を二重として内部を真空としたことにより、中空部の真空で夏は太陽熱の侵入を防ぎ、冬は室内の熱を外へ逃がさないという作用を有している。【０００９】  また屋根の外板の上に外板覆いを上下に移動可能に設けたことにより、直射日光の当たる場所に駐車した場合でも外板覆いを上に移動しておくことにより屋根外板には直射日光があたらず、より一層の断熱効果を実現するものである。
【発明の効果】
【００１０】  上述したように本発明の車体は夏は太陽熱の室内への侵入を防ぎ、冬は室内の熱が外に逃げることを防ぐという作用を有しているため、冷房時や暖房時における室内の温度変化を緩やかに保つことができる。【００１１】  又エンジンの空調に要する負荷が少しで済むため省エネに貢献することになり、地球温暖化防止の一助につながることになる。【００１２】  また大型バスにおいては鉄板部の面積が広く熱が侵入し易く、逃げ易い構造であるから、大型バスで本発明を使用することによりその効果はより大きなものである。【００１３】そして又、大型バスは客席の下部フロアが荷物室となっており旅行で買った荷物を入れておくが、氷やドライアイスを添付しておいても４日、５日、一週間の旅行になると買ったお土産が食べられない状態になることがあるが、本発明では夏でも熱の侵入が遅いため氷やドライアイスの効果を長く保つことができる。
【発明を実施するための最良の形態】
【００１４】中空部４の真空度は車両の定期点検の際にチェックをして状態を記録しておくことにより本発明の効果を最大限に発揮することが出来る。【００１５】  大型バスの屋根のように面積の広い鉄板部については、中空部４を複数個のブロックに分けて各ブロックに抽気装置接続部５を設けておくことにより、真空度を保持できない箇所があっても被害を最小限におさえることができる。【００１６】  屋根覆い６においては「上げ」位置としたままで走行すると空気抵抗が大きく、トンネルや橋梁の上では危険であるから「上げ」位置となっている場合には走行出来ないというインターロックを設定しておくことが事故防止につながる【００１７】  屋根覆い６が「上げ」位置にあるか「下げ」位置にあるかの確認表示装置及び上下駆動装置の操作は運転席に設置しておくことにより安全を確保することが出来る。
【図面の簡単な説明】
【００１８】
【図１】  鉄板部の二重構造の例として屋根部分の断面を示した概念図
【符号の説明】
【００１９】  １  外板
２  内板
３  接続部
４  中空部
５  抽気装置接続部
６  屋根覆い
７  上下駆動装置
【図１】
2017024695.tif 000003
(57)【要約】【課題】  舗装路面用のタイヤで泥濘地等の路面を走行する際に装着し使用できる。タイヤチェーンに設けた凸状の突起が路面に食いつくようにして高いトラクション性能を発揮するため、スリップを防止できる泥濘地用タイヤ滑り止め器具を提供する。【解決手段】  タイヤチェーン（１）の路面との接地面に凸状の突起（２）を設けた泥濘地用タイヤ滑り止め器具を特徴とする。【選択図】図１
2017178296.tif 000002
【特許請求の範囲】
【請求項１】
泥濘地等を走行するための器具で、タイヤチェーン（１）の路面との接地面に凸状の突起（２）を設けた泥濘地用タイヤ滑り止め器具。
【発明の詳細な説明】
【技術分野】
【０００１】  この発明は、タイヤチェーンの路面との接地面に凸状の突起を設けた泥濘地用タイヤ滑り止め器具に関するものである。
【背景技術】
【０００２】  従来、自動車のタイヤは路面と接地する面（トレッド）に様々な模様のパターンが開発され、用途にあったタイヤを使用できる。しかし泥濘地用タイヤで舗装路面の走行は不向きである。
雪道での走行を目的としてタイヤチェーンが用いられ、従来の金属製のチェーンの他にも硬質ポリウレタン製やゴム製のものも開発されている。
タイヤチェーンは主に雪道での走行を目的として設計されているため、泥濘地等の路面での走行に特化したものがない。
【先行技術文献】
【０００３】
【特許文献１】
【非特許文献１】
【発明の概要】
【発明が解決しようとする課題】
【０００４】  これは、次のような欠点があった。自動車で泥濘地等の路面を走行する場合、オフロード指向のタイヤを履くのが一般的であるが、主に舗装路面を走行する場合が多いため極端なオフロード指向のタイヤはグリップ性能が小さく、ロードノイズも大きいため不向きである。しかし、舗装路面用タイヤでは泥濘地等の路面でタイヤのトラクションが掛からないため、スリップして困ることが多かった。
舗装路面用タイヤで雪道を走行する場合のようにタイヤチェーンを用いても十分な結果が得られない。
本発明は、以上のような欠点をなくすためになされたものである。
【課題を解決するための手段】
【０００５】  タイヤチェーン（１）の路面との接地面に凸状の突起（２）を全体又は断続的に設ける。
本発明は、以上の構成によりなる泥濘地用タイヤ滑り止め器具である。
【発明の効果】
【０００６】  持ち運びが容易であり、泥濘地等の路面でのみ装着し使用できる。
タイヤチェーンに設けた凸状の突起が路面に食いつくようにして高いトラクション性能を発揮するため、泥濘地等の路面でのスリップを防止できる。
タイヤ自体を用途に合わせて交換する必要がないためコスト面での節約効果がある。
【図面の簡単な説明】
【０００７】
【図１】本発明の斜視図である。
【図２】本発明の断面図である。
【発明を実地するための形態】
【０００８】  以下、本発明を実施するための形態について説明する。
タイヤチェーン（１）のスパイクピンの替わりに硬質ポリウレタン製又はゴム製等の凸状の突起（２）を全体又は断続的に設ける。本発明は以上のような構造である。
【符号の説明】
【０００９】  １  タイヤチェーン
２  凸状の突起
３  タイヤ
【図１】
2017178296.tif 000003
【図２】
2017178296.tif 000004
(57)【要約】      （修正有）【課題】卓上で飲料を長時間保冷できる、卓上で美観の優れた安価な保冷器を提供する。【解決手段】保冷カバー１の付いた樹脂容器に保冷剤７を充填したシンプルな構造で、冷蔵庫で凍結させるだけという簡便な保冷器とした。また前記保冷器にＬＥＤ発光装置４、および温度表示装置２を取り付けた。【選択図】図２
2017178449.tif 000002
【特許請求の範囲】
【請求項１】
容器の外壁と内壁の間に充填した保冷剤を冷蔵庫で凍結させ使用する卓上保冷器であって、該卓上保冷器の飲料挿入口に、サイズ（直径）の異なる多様な飲料の出し入れに合わせ上下に摺動しながら柔軟に飲料に密着することにより容器内の冷気を封印する保冷カバーを設置したことを特徴とする卓上保冷器。
【請求項２】
容器の外壁と内壁の間に充填した保冷剤を冷蔵庫で凍結させ使用する卓上保冷器であって、該卓上保冷器の底部の外側くぼみ部に、保冷器をカラー照明するＬＥＤ発光装置を設置していることを特徴とする請求項１に記載の卓上保冷器。
【請求項３】
容器の外壁と内壁の間に充填した保冷剤を冷蔵庫で凍結させ使用する卓上保冷器であって、該卓上冷器の外壁に、保冷器内の温度を検知し表示する温度表示装置を有することを特徴とする請求項１、請求項２に記載の卓上保冷器。
【請求項４】
卓上保冷器の外壁の内側に断熱層を有することを特徴とする請求項１、請求項２、請求項３に記載の卓上保冷器。
【請求項５】
卓上保冷器内の保冷剤が高吸水性樹脂、水、防腐剤、および形状安定剤からなる組成物であることを特徴とする請求項１〜４に記載の卓上保冷器。
【発明の詳細な説明】
【技術分野】
【０００１】  本発明は、冷やした飲料を飲む際に飲料が温まらずに冷えたままの状態で飲めるようにした卓上保冷器に関する。
【背景技術】
【０００２】  従来、保冷器の内側に氷を収納する箇所を設けて保冷する卓上保冷器がある（例えば、特許文献１参照）。
また、保冷剤を充填した保冷器の上部に穴の開いた容器片（カバー状のもの）を固定し単一の飲料に対応する保冷器がある（例えば、特許文献２参照）。
また、電気機械的に保冷する大型の保冷器がある（例えば、特許文献３参照）。
【先行技術文献】
【特許文献】
【０００３】
【特許文献１】  実開平  ０７−０１４９７６号  公報
【０００４】
【特許文献２】  特願平１０−２５８６４２  公報
【０００５】
【特許文献３】  特開平  ２００１−２０８４６５号  公報
【発明の概要】
【発明が解決しようとする課題】
【０００６】  以上に述べた従来の卓上保冷器では、サイズの異なる多様な飲料の出し入れを一つの保冷カバーで対応して冷気を封印することはできない。また、ＬＥＤ発光装置や温度表示装置を設置した保冷器も無い。保冷器によっては氷や保冷剤を容器の収納部に入れたり出したりする面倒がかかるものもある。また、電気機械式の保冷器などは大型で複雑な装置となり、コストも高く卓上使用にはなじまない。【０００７】  本発明は、このような従来の方式が持つ問題を解決しようとするものである。保冷器に充填した保冷剤を冷蔵庫で凍結させ、断熱性を保持しながら飲料を適温に保冷するとともに、保冷器をカラー発光・照明させることで美観を追求し、温度表示装置により容器内の温度を確認することを目的とするものである。
【課題を解決するための手段】
【０００８】  飲料の出し入れの際に飲料に柔軟に密着する保冷カバーを設置したことである。【０００９】  第２の解決手段は保冷器底部の外側にあるくぼみ部分にＬＥＤ発光装置を設置し、保冷器の外壁に温度表示装置を設置したことである。【００１０】  第３の解決手段は外壁の内側に断熱層を設けたことである。【００１１】  上記第１の課題解決手段による作用は次の通りである。すなはち、サイズの異なる多様な飲料に保冷カバーが密着して保冷器内の冷気を逃さないことである。柔軟な保冷カバーにはスリット（切れ目）が入っており、飲料の出し入れを容易にする。【００１２】  上記第２の解決手段による作用は次の通りである。すなはち、ＬＥＤ発光装置により保冷器を美的にし、温度表示装置により保冷器内部の温度を判別できるようにしたことである。温度表示装置は温度をデジタルで表示し、取っ手の形に成型しても良く、温度の変化に応じて色が変わっていく塗料を装置全体に塗膜しても良い。【００１３】  また、第３の解決手段による作用は次の通りである。すなはち、保冷が長続きし飲料を冷たいままで飲める時間を３時間程度に延ばすことである。
【発明の効果】
【００１４】  冷やして飲むビールやワイン、冷酒、お茶、ジュースなどの飲料の適温は摂氏１２，３度と言われる。井戸水の温度に近い。上述したように本発明の保冷器は長時間の適温保冷が有効であり、何度も再使用ができる。保冷器に設置したＬＥＤの発光・カラー照明装置は、保冷という実用性にプラスして食卓を豊かでムーディーなものにしてくれる。外観をステンドグラス風に成型すれば、七色の光がモザイク模様となり美観が増す。また、温度表示装置は保冷の証しとなる。
【図面の簡単な説明】
【００１５】
【図１】本発明の形状と機能を示す保冷器の外観
【図２】同保冷器の構成図
【図３】同保冷器の上から見た断面図
【図４】同保冷器底部のＬＥＤ装置配置図
【発明を実施するための形態】
【００１６】  以下、本発明の実施の形態を図１〜図４に基づいて説明する
【００１７】  図１は卓上保冷器の外観図であり、飲料のビンや缶を挿入し保冷する。底部の保冷剤の厚みは他部に比べて１・５倍。ビール大ビン、ワインボトル、日本酒（７２０ミリリットル）などは底辺の直径が一様に７・３センチであり、保冷器の直径はこれより数ミリ大きくする。容器底部のＬＥＤランプは保冷器を点灯する。温度表示装置は保冷器内部の温度を表示する。保冷器の高さは缶ビール（３６０ミリリットル）が収まる１２センチ程度にする。
【００１８】  図２は卓上保冷器の構成図であり、保冷カバー１は飲料に吸い付くように密着する。温度表示装置２は取っ手の形にすれば持ち運びに便利。断熱層３は容器内の冷気を逃さない。ＬＥＤ発光装置４で保冷器をカラー照明する。外壁５と内壁６の間に保冷剤７が充填されている。
【００１９】  図３は保冷器を上部から見た断面図である。外壁１、内壁２、保冷カバー３、断熱層４、保冷剤５という構成になっている。保冷カバーは出し入れする飲料のサイズに合わせて上下に摺動しながら飲料に柔軟に密着する。
【００２０】  図４は保冷器底部の外側にくぼみ部を形成した図であり、ランプや配線などＬＥＤ発光の諸器具を配置する。
【図１】
2017178449.tif 000003
【図２】
2017178449.tif 000004
【図３】
2017178449.tif 000005
【図４】
2017178449.tif 000006